(57)【特許請求の範囲】
【請求項１】
表側及び裏側を有するプッシュバーと、
前記プッシュバーの裏側に機械的接続する導電素子と、
前記導電素子に隣接し、通常は前記導電素子から離れている接触検知アセンブリーと、
前記接触検知アセンブリーに電気的接続し、満杯信号を発信するように構成される信号伝達接点と、
を備え、
前記プッシュバーの裏側と前記導電素子の間に接続し、近端及び遠端を有し、前記遠端は前記プッシュバーの裏側に接続するプッシュバースイーパーと、
前記プッシュバースイーパーの遠端に接続し、細断済み材料の力に弾性的に抵抗する付勢素子と、
をさらに備える、ペーパーシュレッダーのシュレッダーセンサー。
【請求項２】
所定の細断済み材料の力が前記プッシュバーの表側を押圧すると、前記導電素子は前記接触検知アセンブリーに電気的接続し、次いで前記信号伝達接点から前記満杯信号が発信され、前記所定の細断済み材料の力は所定の満杯の高さに対応する、請求項１に記載のシュレッダーセンサー。
【請求項３】
シュレッダー下部シュラウドと、
前記シュレッダー下部シュラウド内にあって、前記プッシュバーを収容するように形成され、前記プッシュバーの表側の少なくとも一部が内部に配置されている開口と、
をさらに備える、請求項２に記載のシュレッダーセンサー。
【請求項４】
所定の細断済み材料の力が前記プッシュバーの表側を押圧すると、前記導電素子は前記接触検知アセンブリーに電気的接続し、次いで信号伝達接点から満杯信号が発信される、請求項３に記載のシュレッダーセンサー。
【請求項５】
前記プッシュバー及び前記プッシュバースイーパーは非導電性である、請求項４に記載のシュレッダーセンサー。
【請求項６】
前記シュレッダー下部シュラウドの一部を受容するように構成される屑収容箱をさらに備え、前記屑収容箱は細断済み材料を収容し、前記屑収容箱内の細断済み材料の所定の高さは所定の細断済み材料の力に対応し、前記所定の細断済み材料の力により前記満杯信号が発信され、前記満杯信号により前記ペーパーシュレッダーのモーターが停止する、請求項４に記載のシュレッダーセンサー。
【請求項７】
前記プッシュバーは上部及び下部を有し、前記上部はピボット部を含み、前記所定の細断済み材料の力により前記プッシュバーは前記ピボット部を軸にして旋回する、請求項４に記載のシュレッダーセンサー。
【請求項８】
表側及び裏側を有する連結式プッシュバーと、
前記連結式プッシュバーの裏側に機械的接続する導電素子と、
前記導電素子に隣接し、通常は前記導電素子から離れている接触検知アセンブリーと、
前記接触検知アセンブリーに電気的接続し、満杯信号を発信するように構成される信号伝達接点と、
を備え、
前記連結式プッシュバーの裏側と前記導電素子の間に接続し、近端及び遠端を有し、前記遠端は前記連結式プッシュバーの裏側に接続し、前記近端は導電素子に接続するプッシュバースイーパーと、
前記プッシュバースイーパーの遠端に接続し、所定の細断済み材料の力に弾性的に抵抗する弾性付勢素子と、
をさらに備え、
前記所定の細断済み材料の力が前記連結式プッシュバーの表側を押圧すると、前記導電素子が前記接触検知アセンブリーに電気的接続し、次いで信号伝達接点から満杯信号が発信される、ペーパーシュレッダーのシュレッダーセンサー。
【請求項９】
連結式プッシュバーは、
ガイドスロットを有する上部プッシュバーと、
前記ガイドスロットを利用して前記上部プッシュバーに機械的接続する下部プッシュバーと、
前記下部プッシュバー内に配置され、調節することにより前記下部プッシュバーを前記上部プッシュバーから伸張させたり前記上部プッシュバーまで収縮させたりする調節可能な伸張素子と、
を備える、請求項８に記載のシュレッダーセンサー。
【請求項１０】
前記下部プッシュバーは、前記ガイドスロット内に配置される下部ピボット部をさらに備え、前記下部プッシュバーは伸張、収縮又は旋回が可能である、請求項９に記載のシュレッダーセンサー。
【請求項１１】
連結式プッシュバーは、
ガイドホールを有する上部プッシュバーと
前記ガイドホールを利用して前記上部プッシュバーに機械的接続する下部プッシュバーと、
少なくとも一部が前記ガイドホールを通じて前記下部プッシュバーに位置決めされ、調節することにより前記下部プッシュバーが前記上部プッシュバーに対して角度を成す調節可能な伸張素子と、
を備える、請求項８に記載のシュレッダーセンサー。
【請求項１２】
前記調節可能な伸張素子に接続し、前記下部プッシュバーは前記上部プッシュバーに対して調節可能に旋回するとともに選定された角度で着脱自在に位置決めされる下部ピボット部をさらに備える、請求項１１に記載のシュレッダーセンサー。
【請求項１３】
モーターと、
前記モーターに機械的接続する細断ブロックと、
前記モーターに電気的接続し、満杯信号を受信するように構成されるシュレッダーコントローラーと、
前記シュレッダーコントローラーに電気的接続し、表側及び裏側を有するプッシュバーを有する満杯センサーと、
前記プッシュバーの裏側に機械的に接続する導電素子と、
前記導電素子に隣接し、通常は前記導電素子から離れている接触検知アセンブリーと、
前記接触検知アセンブリーに電気的接続する信号伝達接点と、
前記プッシュバーの裏側と前記導電素子の間に接続し、近端及び遠端を有し、前記遠端は前記プッシュバーの裏側に接続するプッシュバースイーパーと、
前記プッシュバースイーパーの遠端に接続し、細断済み材料の力に弾性的に抵抗する付勢素子と、
を備え、
前記細断済み材料の力は、所定の屑収容箱の高さに対応するとともに前記プッシュバーの表側を押圧すると、前記導電素子は前記接触検知アセンブリーに電気的接続し、次いで前記信号伝達接点から前記満杯信号が発信されるとともに前記シュレッダーコントローラーにより受信され、前記モーターが停止する、
ペーパーシュレッダー。
【請求項１４】
前記モーター、前記細断ブロック及び前記シュレッダーコントローラーに機械的接続する下部シュラウドと、
前記プッシュバーを収容するように形成された前記下部シュラウド内の開口と、
前記下部シュラウドに取り外し可能に接続する屑収容箱と、
をさらに備え、
前記プッシュバーは前記下部シュラウド内の前記開口から少なくとも一部が伸張し、
細断済み材料が前記屑収容箱内の所定の高さに達すると、前記プッシュバーは、前記信号伝達接点から前記満杯信号が発信されるように位置決めされる、
請求項１３に記載のペーパーシュレッダー。
【請求項１５】
前記プッシュバーは非連結式プッシュバーを備える、請求項１４に記載のペーパーシュレッダー。
【請求項１６】
前記プッシュバーは連結式プッシュバーを備える、請求項１４に記載のペーパーシュレッダー。
【請求項１７】
前記連結式プッシュバーは、
ガイドスロットを有する上部プッシュバーと、
前記ガイドスロットを利用して前記上部プッシュバーに機械的接続する下部プッシュバーと、
前記下部プッシュバー内に配置されて、調節することにより前記下部プッシュバーを前記上部プッシュバーから伸張したり前記上部プッシュバーまで収縮したりする調節可能な伸張素子と、
を備える、請求項１６に記載のペーパーシュレッダー。
【請求項１８】
前記連結式プッシュバーは、
ガイドホールを有する上部プッシュバーと、
前記ガイドホールを利用して前記上部プッシュバーに機械的接続する下部プッシュバーと、
少なくとも一部が前記ガイドホールを通じて前記下部プッシュバーに位置決めされて、調節することにより前記下部プッシュバーが前記上部プッシュバーに対して角度を成す調節可能な伸張素子と、
を備える、請求項１６に記載のペーパーシュレッダー。
【発明の詳細な説明】
【技術分野】
【０００１】
本発明は、概して、ペーパーシュレッダーに関し、特に、ペーパーシュレッダーの満杯装置に関する。
【背景技術】
【０００２】
シュレッダーは一般的に、機密文書や個人的文書を破棄するのに使用される機器である。通常、シュレッダーは紙細断装置と屑収容箱を備えている。屑収容箱が満杯になることにより紙の細断を続けることが困難になり、高く堆積した屑により現在使われている満杯検知装置の機能を損ないやすくなる。既存の紙屑満杯検知装置には主に機械式、電子式、光学式３つのタイプがある。電子式満杯検知装置は相当高価で不安定である。既存の機械式満杯検知装置は、構造が複雑であり、使用上の柔軟性に欠けるという欠点を有する。ある機械式満杯検知器は、紙排出口と同じ長さの投入プレートをマイクロスイッチと組み合わせることにより、貯まった紙の状態を感知する。紙投入プレートは長く、紙排出口の中間部よりも低くなる必要があるため、マイクロスイッチの接触行程が制限され、接触効率が低く、感度が低くなる。光学式満杯検知装置も相当高価であり、光学センサーが遮られたり汚れたりした場合、正常に機能しない傾向がある。満杯装置に求められるのは、このような問題を未然に防ぐことである。
【発明の概要】
【発明が解決しようとする課題】
【０００３】
本明細書の実施形態は、電気機械的な満杯検知を実行することにより、簡単で安価で永続的な解決法を提供する。
【課題を解決するための手段】
【０００４】
ここで提供されるのは、ペーパーシュレッダー用シュレッダーセンサーの実施例であり、このシュレッダーセンサーは、表側及び裏側を有するプッシュバーと、前記プッシュバーの裏側に機械的接続する導電素子と、前記導電素子に隣接し、通常は前記導電素子から離れている接触検知アセンブリーと、前記接触検知アセンブリーに電気的接続する信号伝達接点と、を備える。ここで選ばれた実施例では、前記プッシュバーの裏側と前記導電素子の間に接続し、近端及び遠端を有し、前記遠端は前記プッシュバーの裏側に接続するプッシュバースイーパーと、前記プッシュバースイーパーの遠端に接続し、細断済み材料の力に弾性的に抵抗する付勢素子と、がさらに含まれる。前記細断済み材料の力が前記プッシュバーの表側を押圧すると、前記導電素子は前記接触検知アセンブリーに電気的接続し、次いで前記信号伝達接点から満杯信号が発信される。
【０００５】
実施例ではさらに、シュレッダー下部シュラウドと、前記シュレッダー下部シュラウド内にあって、前記プッシュバーを収容するように形成され、前記プッシュバーの表側の少なくとも一部が内部に配置されている開口と、がさらに備えられる。実施例では、所定の細断済み材料の力がプッシュバーの表側を押圧すると、前記導電素子は接触検知アセンブリーに電気的接続し、次いで前記信号伝達接点から満杯信号が発信される。ある実施例では、前記プッシュバー及び前記プッシュバースイーパーは非導電性である。また、前記シュレッダー下部シュラウドの一部を受容するように構成される屑収容箱が含まれ、前記屑収容箱は細断済み材料を収容し、前記屑収容箱内の細断済み材料の所定の高さは所定の細断済み材料の力に対応し、前記所定の細断済み材料の力により前記満杯信号が発信され、前記満杯信号により前記ペーパーシュレッダーのモーターが停止する。実施例では、前記プッシュバーは上部及び下部を有し、前記上部はピボット部を含み、前記所定の細断済み材料の力により前記プッシュバーは前記ピボット部を軸にして旋回する。
【０００６】
また、ここで提供されるペーパーシュレッダーのシュレッダーセンサーは、表側及び裏側を有する連結式プッシュバーと、前記連結式プッシュバーの裏側に機械的接続する導電素子と、前記導電素子に隣接し、通常は前記導電素子から離れている接触検知アセンブリーと、前記接触検知アセンブリーに電気的接続する信号伝達接点と、を含む。実施例ではさらに、前記連結式プッシュバーの裏側と前記導電素子の間に接続し、近端及び遠端を有し、前記遠端は前記連結式プッシュバーの裏側に接続し、前記近端は導電素子に接続するプッシュバースイーパーと、前記プッシュバースイーパーの遠端に接続し、所定の細断済み材料の力に弾性的に抵抗する弾性付勢素子と、を含み、前記所定の細断済み材料の力が前記連結式プッシュバーの表側を押圧すると、前記導電素子が前記接触検知アセンブリーに電気的接続し、次いで信号伝達接点から満杯信号が発信される。いくつかの実施例では、連結式プッシュバーは、ガイドスロットを有する上部プッシュバーと、前記ガイドスロットを利用して前記上部プッシュバーに機械的接続する下部プッシュバーと、前記下部プッシュバー内に配置され、調節することにより前記下部プッシュバーを前記上部プッシュバーから伸張させたり前記上部プッシュバーまで収縮させたりする調節可能な伸張素子と、を含む。実施例では、前記下部プッシュバーは、前記ガイドスロット内に配置される下部ピボット部をさらに含み、前記下部プッシュバーは伸張、収縮又は旋回が可能である。別の実施例では、連結式プッシュバーは、ガイドホールを有する上部プッシュバーと、前記ガイドホールを利用して前記上部プッシュバーに機械的接続する下部プッシュバーと、少なくとも一部が前記ガイドホールを通じて前記下部プッシュバーに位置決めされる調節可能な伸張素子であって、調節することにより前記下部プッシュバーが前記上部プッシュバーに対して角度を成す調節可能な伸張素子と、を含む。別の実施例では、前記調節可能な伸張素子に接続する下部ピボット部であって、前記下部プッシュバーは前記上部プッシュバーに対して調節可能に旋回するとともに選定された角度で着脱自在に位置決めされる下部ピボット部が含まれる。
【０００７】
さらにここで提供されるペーパーシュレッダーは、モーターと、前記モーターに機械的接続する細断ブロックと、前記モーターに電気的接続し、満杯信号が受信されると前記モーターを停止するように構成されるシュレッダーコントローラーと、表側及び裏側を有するプッシュバーを有するセンサーと、前記プッシュバーの裏側に機械的に接続する導電素子と、前記導電素子に隣接し、通常は前記導電素子から離れている接触検知アセンブリーと、前記接触検知アセンブリーに電気的接続する信号伝達接点と、前記プッシュバーの裏側と前記導電素子の間に接続し、近端及び遠端を有し、前記遠端は前記プッシュバーの裏側に接続するプッシュバースイーパーと、前記プッシュバースイーパーの遠端に接続する付勢素子と、を備える。前記付勢素子は細断済み材料の力に弾性的に抵抗し、前記細断済み材料の力は、所定の屑収容箱の高さに対応する。前記細断済み材料の力が前記プッシュバーの表側を押圧すると、前記導電素子は前記接触検知アセンブリーに電気的接続し、次いで前記信号伝達接点から前記満杯信号が発信されるとともに前記シュレッダーコントローラーにより受信される。実施例ではさらに、前記モーター、前記細断ブロック及び前記シュレッダーコントローラーに機械的接続する下部シュラウドと、前記プッシュバーを収容するように形成された前記下部シュラウド内の開口と、前記下部シュラウドに取り外し可能に接続する屑収容箱と、が含まれ、前記プッシュバーは前記下部シュラウド内の開口から少なくとも一部が伸張し、細断済み材料が前記屑収容箱内の所定の高さに達すると、前記プッシュバーは、前記信号伝達接点から前記満杯信号が発信されるように位置決めされる。いくつかの実施例では、前記プッシュバーは連結式プッシュバーである。前記連結式プッシュバーは、ガイドスロットを有する上部プッシュバーと、前記ガイドスロットを利用して前記上部プッシュバーに機械的接続する下部プッシュバーと、前記下部プッシュバー内に配置される調節可能な伸張素子であって、調節することにより前記下部プッシュバーを前記上部プッシュバーから伸張したり前記上部プッシュバーまで収縮したりする調節可能な伸張素子と、を含む。その他の実施例では、連結式プッシュバーである。前記連結式プッシュバーは、ガイドホールを有する上部プッシュバーと、前記ガイドホールを利用して前記上部プッシュバーに機械的接続する下部プッシュバーと、少なくとも一部が前記ガイドホールを通じて前記下部プッシュバーに位置決めされる調節可能な伸張素子であって、調節することにより前記下部プッシュバーが前記上部プッシュバーに対して角度を成す調節可能な伸張素子と、を含む。
【０００８】
ここに開示される本発明の実施形態は例として説明されており、添付の図面により制限されず、参考のために類似する要素を示している。
【図面の簡単な説明】
【０００９】
【図１】本発明の内容に従った、ペーパーシュレッダーの断面を示す図である。
【図２】本発明の内容に従った、逆さにしたシュレッダー下部シュラウドの斜視図である。
【図３】本発明の内容に従った、満杯センサーを示す図２の局部を示す図である。
【図４】本発明の内容に従った、電気機械的なセンサーの実施例における斜視図である。
【図５】本発明の内容に従った、満杯センサーの実施例における位置を示す図２のシュレッダー下部シュラウドの表側の斜視図である。
【図６ａ】本発明の内容に従った、連結式満杯センサーの実施例における斜視図である。
【図６ｂ】本発明の内容に従った、伸張したセンサー部を有する、図６ａのセンサーのもう一つの斜視図である。
【図７ａ】本発明の内容に従った、角度を成して伸張された連結式満杯センサーのもう一つ実施例における斜視図である。
【図７ｂ】本発明の内容に従った、直線的に伸張された図７ａのセンサーのもう一つの図である。
【００１０】
当業者は、図面における構成要素が簡潔性及び明瞭性のために示されたものであり、必ずしも縮尺に合わせたものではないことを理解されるよう。例えば、図面におけるいくつかの構成要素のサイズは、本発明の実施形態をより理解してもらうために、他の構成要素と比較して誇張される可能性がある。図面における同じ符号は同じ構成要素に対応する。
【発明を実施するための形態】
【００１１】
図１に示すように、通常、シュレッダー１００はシュレッダー機構２０、満杯センサー４０及び屑収容箱６０を含む。シュレッダー機構２０は一般的にシュレッダー投入口１０、細断ブロック２５、シュレッダー排出口３０及びコントローラー７０を含む。細断ブロック２５はモーター４５により駆動されるブレードを備える。シュレッダーインプット１０は細断可能材料である細断可能物１５を受け入れる。シュレッダーアウトプット３０は、モーター４５の作動中に、細断済み材料である細断屑５０を排出する。屑収容箱６０はシュレッダー排出口３０と機械的伝達を行い、細断屑５０を収容する。細断ブロック２５の作動に伴い、細断屑５０は排出口３０から屑収容箱６０に落ちる。収容箱６０が満杯となる所定の高さに細断屑５０が達すると、満杯センサー４０は満杯の高さを検出し、満杯信号をコントローラー７０に送信する。コントローラー７０は屑収容箱６０が空になるまでモーター４５を停止することができ、空の屑収容箱は排出口３０の下方の選定された位置に戻される。満杯センサー４０はシュレッダー排出口３０上に配置される。一般的には、所定のシュレッダー満杯レベルは、屑収容箱６０内にある細断屑の選定された高さであり、細断ブロック２５の位置より低い。図１では、分かりやすくするために、満杯センサー４０をシュレッダー１００の長手方向の軸を支点として９０度回転させた状態を示している。
【００１２】
図２では屑収容箱６０を伴わないシュレッダー１００の構成を示す。また、分かりやすくするために、満杯センサー２００のカバー(図中未表示)は外されている。図２において、シュレッダー機構２０は、逆さの状態であり、シュレッダー下部シュラウド２１０内に配置されている。満杯センサー２００は、図１の満杯センサー４０と機能的に類似する。満杯センサー２００はシュレッダー下部シュラウド２１０内に配置され、シュレッダー排出口３０に隣接可能である。モーター２２０は細断ブロック２５に接続され、これによりモーター作動中に細断ブロック２５は切り刻む動作を伴って回転し、被細断物１５は粉砕されて細断済み材料（細断屑）５０となる。コントローラー２５０はモーター２２０及び下部シュラウド２１０の最も近くに配置される。
【００１３】
図３では、図２の満杯センサー２００に類似する満杯センサー３００を示す。また、分かりやすくするために、満杯センサー３００のカバー（図中未表示）は外されている。満杯センサー３００は、プッシュバー３０２を備える実施形態で示されており、細断屑（図中未表示）に間欠接触するように配置され、シュレッダー作動中は屑収容箱（図中未表示）に蓄積される。プッシュバー３０２は表側及び裏側を有する。プッシュバー３０２は長方形若しくは正方形、又は一般的な直線的形状でもよいが、その他の形状も用いられる。プッシュバー３０２はピボット部３１６を利用して旋回するよう構成される。プッシュバー３０２はプッシュバースイーパー３０８を利用して導電素子３０４に接続する。プッシュバースイーパー３０８は動作が円滑になるよう付勢され、例えば、ばね又は他の弾性素子であり、プッシュバースイーパー３０８に少なくとも一部が捕えられている付勢機構３０６を利用する。プッシュバースイーパーは遠端及び近端を有し、遠端はプッシュバー３０２の裏側に取り付けられている。プッシュバースイーパー３０８の近端は導電素子３０４に接続する。図３で示される例では、導電素子３０４は少なくとも一部がプッシュバースイーパー３０８の表面を覆い包む。接触検知アセンブリー３１０は、例えばプッシュバー３０２及びプッシュバースイーパー３０８が接触検知アセンブリー３１０の方に押された時に、導電素子３０４に電気的接触するように構成される。信号伝達接点３１２は、導電素子３０４との接触によりシュレッダーコントローラー２５０との電気回路が完全なものになるよう、接触検知アセンブリー３１０を通電させることができ、これにより屑収容箱（図中未表示）が満杯状態であることが示される。ねじ３１４で示されたプッシュバー押すねじは、プッシュバー３０２を下部シュラウド３１８に向けて付勢し、これによりピボット部３１６に押圧力が加わる。
【００１４】
図４は、満杯センサー３００の実施例における斜視図を提供し、同センサーは、図３で示されたものであるが、ここでは下部シュラウド３１８及びセンサーカバー（図中未表示）から取り外された状態であり、支持構造と接触していない。満杯センサー３００の素子はプッシュバー３０２、導電素子３０４、付勢機構３０６、プッシュバースイーパー３０８、接触検知アセンブリー３１０、信号伝達接点３１２及びピボット部３１６を含む。また、付勢機構３０６及びプッシュバースイーパー３０８が接続されている、プッシュバー３０２の裏面部４０２も示される。さらに、付勢ばねが付勢機構３０６として使用される際は、キャプチャーロッド４０７が使用される。キャプチャーロッド４０７は安定性を高め、付勢機構３０６の伸張方式のガイドとなる。プッシュバースイーパー３０８は相対する２本のプロングでキャプチャーロッド４０７を挟む構成が可能である。プッシュバースイーパー３０８は、プッシュバー３０２の裏面４０２より遠位にある近端上の拡張部４２０をそれぞれ伴う双対プロング４１７、４１８を含む。各プロングの拡張部４２０は導電素子３０４に少なくとも一部が覆われる。付勢機構３０６はプロング４１７、４１８とキャプチャーロッド４０７の間に構成される。別の実施例において、プロング４１７、４１８が十分な導電性を有する物質から構成されていれば、導電素子３０４を省略することができる。
【００１５】
作動中に、粉砕された細断屑（図中未表示）が屑収容箱（図中未表示）内に堆積すると、その細断屑によりプッシュバー３０２に対する力４１２が発生する。力４１２はピボット部３１６を旋回させることができ、それにより導電素子３０４は導電性の接触検知アセンブリー３１０に向かって前進する。導電素子３０４が接触検知アセンブリー３１０に接触する時、電気回路が形成され、「満杯」信号をシュレッダーコントローラー（図中未表示）に送信する。このような動作は、既存の満杯センサーとは異なり、ほこりや汚れといった満杯センサーの付着物には反応しにくく、満杯状態に対する高い感度、反復性及び信頼性が示される。
【００１６】
図５では、細断ブロック５０８を含むシュレッダー本体５００が示され、満杯センサーについては満杯センサー２００、３００及び４００に制限されない。図５は下部シュラウド５０２を下から見上げた斜視図を示す。シュレッダー本体５００は、開口５０４を有する下部シュラウド５０２を含む。細断ブロック５０８は複数の細断ブレードを含む。開口５０４内にはプッシュバー５０６がある。プッシュバー５０６はプッシュバー３０２と同様の機能を有するが、プッシュバー３０２、５０６と同様の機能を有する他の実施形態も考えられる。プッシュバー５０６の開口５０４は通常細断ブロック５０８より低い位置に構成されることで、細断屑が細断ブロック５０８のブレードに到達する前に、センサープッシュバー５０６は満杯の屑収容箱を検出できる。ここに記載される「満杯」の屑収容箱とは、細断ブロック５０８のブレードの高さよりも低い位置にある、所定の高さに達した細断屑が入っている屑収容箱であると考えられる。屑が収容箱内で堆積するにつれて、細断済み材料は、屑収容箱内のある高さに対応する力を発生させる。屑収容箱（図中未表示）が細断屑で「満杯」になると、細断屑の所定の高さに対応する所定の細断済み材料の力によりプッシュバー５０６を押圧し、それによりプッシュバー５０６は開口５０４内に押し込まれ、伸張により、満杯信号が発信される。
【００１７】
図６ａ、ｂは満杯センサー６００のもう一つの実施例を示し、プッシュバー６０２は連結式である。満杯センサー３００と同様、満杯センサー６００は、プッシュバースイーパー６０８に接続するキャプチャーロッド６０７を含み、プッシュバースイーパー６０８は少なくとも一部を導電素子６０４に覆われる。キャプチャーロッド６０７は、らせんばねを用いて実施される付勢機構６０６内に構成さる。屑収容箱（図中未表示）内の細断屑の高さが所定の高さに近づくと、ピボット部６１６が旋回し、導電素子６０４が導電性接触検知アセンブリー６１０に向かって前進する。導電素子６０４が接触検知アセンブリー６１０に接触すると、電気回路が形成され、「満杯」信号が信号伝達接点６１２を経由してシュレッダーコントローラー（図中未表示）に送信される。
【００１８】
このもう一つの実施例では、プッシュバー６０２は、下部ピボット部６２６と接続し、これを用いる下部プッシュバー６２２と連結される。サイドパネル６３４はプッシュバー６０２の両端に構成され、下部ピボット部６２６が位置決めされるガイドスロット６２４を形成するのに用いられる。伸張スロット６２８は通常、上部プッシュバー６０２の長手方向の軸に対して垂直に構成され、下部プッシュバー６２２内に形成される。下部プッシュバー６２２は上部プッシュバー６０２から伸張したり上部プッシュバー６０２まで収縮したりする。伸張素子６３２は、伸張スロット６２８内に構成され、伸張制限部６３０により縦運動に制限される。伸張制限部６３０はプッシュバー６０２から舌のように突き出している。図６ａで示すように、伸張素子６３２は伸張制限部６３０によって位置決めされるとともに固定され、これにより下部プッシュバー６２２はプッシュバー６０２に引き込まれた状態になる。
【００１９】
図６ｂでは、満杯センサー６００が連結式プッシュバーであるという観点から示されており、分かりやすくするために、導電素子６０４、導電性接触検知アセンブリー６１０及び信号伝達接点６１２は図示されない。満杯センサー６００は、伸張素子６３２が伸張するとともに伸張制限部６３０により固定され、これにより下部プッシュバー６２２はプッシュバー６０２に対して伸張した状態になるという、もう一つの配置により示される。図６ｂにおいて、下部プッシュバー６２２は上部プッシュバー６０２から伸張している状態で示される。ここでは、下部ピボット部６２６がガイドスロット６２４の下部に構成される。また、下部付勢素子６３２は、伸張制限部６３０により圧縮され、伸張スロット６２８のスロット上部６３４内に構成される。スロット上部６３４は中央が突出した凹形状であり、伸張素子６３２を固定できる。下部プッシュバー６２２はプッシュバー６０２に対する旋回を制限される。図６ｂに図示される構成では、上部プッシュバー６０２の接触は下部プッシュバー６２２により増加し、屑収容箱内の細断屑の所定の高さの設定位置をより制御できる。下部プッシュバー６２２が伸張するほど、「満杯」信号を誘発する屑収容箱内の細断屑の所定の高さが低くなる。
【００２０】
図７ａ、ｂでは連結式プッシュバーが図示され、中でも上部プッシュバー７０２及び下部プッシュバー７２２は、例えば、ねじ及び伸張ばねを含んだ伸張素子７６０の手段により付勢される。この実施例では、サイドパネルはガイドスロットを有さないが、代わりにガイドホール７５０を有する。図７ａでは、下部プッシュバー７２２は、伸張素子７６０により上部プッシュバー７０２に対して角度を成した状態である。図７ｂでは、下部プッシュバー７２２は、上部プッシュバー７０２に対して角度を成していない状態である。この実施例もまた、屑収容箱内の細断屑の所定の高さの設定位置をより制御できる構成である。下部プッシュバー７２２が伸張するほど、「満杯」信号を誘発する屑収容箱内の細断屑の所定の高さが低くなる。
【００２１】
本明細書で用いられた例は単に、本発明の実施に用いられる方法を容易に理解し、当業者が本発明の実施形態を実施できるようにするために示されたものである。したがって、本明細書における実施例や実施形態は、本発明の範囲を限定するものとして解釈されるべきではなく、添付される特許請求の範囲及び適用法のみにより定義される。さらに、同じ符号は図面のいくつかの図を通じて同様の部分を表すが、特定の特徴が不明瞭にならないようにするため、若しくは反復表示によって図を混乱させないため、各図において他の図面で示された特徴が全て繰り返し用いられるとは限らない。発明は、本明細書に記載される特定の方法、装置、器具、材料、アプリケーション等に限定されず、変更可能であることを理解されよう。また、本明細書で使用される用語は、単に特定の実施形態を説明する目的で使用され、本発明の範囲を限定するものではない。
【符号の説明】
【００２２】
１０  シュレッダー投入口
１５  被細断物
２０  シュレッダー機構
２５  細断ブロック
３０  シュレッダー排出口
４０  満杯センサー  
４５  モーター
５０  細断屑
６０  屑収容箱
７０  コントローラー
１００  シュレッダー
２００  満杯センサー
２１０  下部シュラウド
２２０  モーター
２５０  コントローラー
３００  満杯センサー
３０２  プッシュバー
３０４  導電素子
３０６  付勢機構
３０８  プッシュバースイーパー
３１０  接触検知アセンブリー
３１２  信号伝達接点
３１４  ねじ
３１６  ピボット部
３１８  下部シュラウド
４０２  裏面部  
４０７  キャプチャーロッド
４１２  力
４１７、４１８
４２０  拡張部
５００  シュレッダー本体
５０２  下部シュラウド
５０４  開口
５０６  プッシュバー
５０８  細断ブロック
６００  満杯センサー
６０２  上部プッシュバー
６０４  導電素子
６０６  付勢機構
６０７  キャプチャーロッド
６０８  プッシュバースイーパー
６１０  導電性接触検知アセンブリー
６１２  信号伝達接点  
６１６  ピボット部
６２２  下部プッシュバー
６２４  ガイドスロット
６２６  下部ピボット部
６２８  伸張スロット
６３０  伸張制限部
６３２  伸張素子
６３４  サイドパネル
７０２  上部プッシュバー
７２２  下部プッシュバー  
７５０  ガイドホール
７６０  伸張素子
【図１】
0006987258.tif 000002
【図２】
0006987258.tif 000003
【図３】
0006987258.tif 000004
【図４】
0006987258.tif 000005
【図５】
0006987258.tif 000006
【図６Ａ】
0006987258.tif 000007
【図６Ｂ】
0006987258.tif 000008
【図７Ａ】
0006987258.tif 000009
【図７Ｂ】
0006987258.tif 000010